(57)【要約】【課題】各発光ダイオードバルブモジュールの輝度を効果的に制御することができる、スマート調光システムを提供する。【解決手段】このスマート調光システム１は、制御装置１９に通信接続されるサーバ１０と、ブルートゥース通信プロトコルを介してサーバ１０に接続されるブルートゥースシリアルインターフェース制御モジュール１１と、第１の発光ダイオードバルブモジュール１１に電気的に接続される第１のシリアル調光制御モジュール２１と、第２の発光ダイオードバルブモジュール２１に電気的に接続される第２のシリアル調光制御モジュール３１とを備え、第１のシリアル調光制御モジュール２１及び第２のシリアル調光制御モジュール２２の少なくとも何れかがブルートゥースシリアルインターフェース制御モジュール１１に電気的に接続されている。【選択図】図２
0003219590.tif 000002
【実用新案登録請求の範囲】
【請求項１】
制御装置に通信接続されるサーバと、
ブルートゥース通信プロトコルを介して前記サーバに接続されるブルートゥースシリアルインターフェース制御モジュールと、
第１の発光ダイオードバルブモジュールに電気的に接続される第１のシリアル調光制御モジュールと、
第２の発光ダイオードバルブモジュールに電気的に接続される第２のシリアル調光制御モジュールとを備えるスマート調光システムであって、
前記第１のシリアル調光制御モジュール及び前記第２のシリアル調光制御モジュールの少なくとも何れかが前記ブルートゥースシリアルインターフェース制御モジュールに電気的に接続され、
前記制御装置が調光制御信号を前記サーバに提供し、前記サーバが前記調光制御信号に応じてブルートゥース制御信号を前記ブルートゥースシリアルインターフェース制御モジュールに提供し、前記ブルートゥースシリアルインターフェース制御モジュールが前記ブルートゥース制御信号に応じて、シリアル調光信号を前記第１のシリアル調光制御モジュール及び前記第２のシリアル調光制御モジュールの何れかに提供して、前記第１の発光ダイオードバルブモジュール及び前記第２の発光ダイオードバルブモジュールの輝度調整を行うことを特徴とする、スマート調光システム。
【請求項２】
前記第１のシリアル調光制御モジュールが前記第２のシリアル調光制御モジュールに電気的に接続されることを特徴とする、請求項１に記載のスマート調光システム。
【請求項３】
前記第１のシリアル調光制御モジュール及び前記第２のシリアル調光制御モジュールが前記ブルートゥースシリアルインターフェース制御モジュールに電気的に接続されることを特徴とする、請求項１に記載のスマート調光システム。
【請求項４】
前記ブルートゥースシリアルインターフェース制御モジュールは、
インターフェース処理ユニットと、
前記インターフェース処理ユニットに電気的に接続され、前記ブルートゥース制御信号を受信するためのブルートゥース通信ユニットと、
前記インターフェース処理ユニットに電気的に接続されるシリアルインターフェース制御ユニットとを備え、
前記インターフェース処理ユニットは前記ブルートゥース通信ユニットが受信した前記ブルートゥース制御信号を前記シリアル調光信号に変換することを特徴とする、請求項１に記載のスマート調光システム。
【請求項５】
前記第１のシリアル調光制御モジュールは、
第１の交流直流変換ユニットと、
前記第１の交流直流変換ユニットに電気的に接続される第１の処理ユニットと、
前記第１の処理ユニットに電気的に接続される第１のシリアル調整ユニットと、
前記第１のシリアル調整ユニット及び前記第１の交流直流変換ユニットに電気的に接続される第１の定電流駆動ユニットとを備え、
前記第２のシリアル調光制御モジュールは、
第２の交流直流変換ユニットと、
前記第２の交流直流変換ユニットに電気的に接続される第２の処理ユニットと、
前記第２の処理ユニットに電気的に接続される第２のシリアル調整ユニットと、
前記第２のシリアル調整ユニット及び前記第２の交流直流変換ユニットに電気的に接続される第２の定電流駆動ユニットとを備え、
前記第１のシリアル調整ユニットが前記第２のシリアル調整ユニットに電気的に接続されることを特徴とする、請求項１に記載のスマート調光システム。
【考案の詳細な説明】
【技術分野】
【０００１】
本考案は、調光システムに関し、特にブルートゥース（登録商標）及びＲＳ２３２シリアルインターフェースにより制御されるスマート調光システムに関する。
【背景技術】
【０００２】
発光ダイオードの灯具分野において、調光機能がかなり重要である。従来の調光システム９において、図１に示すように、調光器９１が発光ダイオード駆動モジュール９２に電気的に接続され、発光ダイオード駆動モジュール９２が発光ダイオードバルブ９３に電気的に接続される。調光器９１が交流電圧ＶＡＣの入力場所に設けられる。即ち、従来の調光方式では、調光器９１で交流電圧の波形をカットして、調光の効果を達成しているが、このやり方では電力回路にとって効率が非常に低下する。
【０００３】
このことに鑑みて、スマート調光システムを提供することが、実は業界の一つの重要な課題である。
【考案の概要】
【０００４】
本考案に係る実施例は、制御装置に通信接続されるサーバと、ブルートゥース通信プロトコルを介して前記サーバに接続されるブルートゥースシリアルインターフェース制御モジュールと、第１の発光ダイオードバルブモジュールに電気的に接続される第１のシリアル調光制御モジュールと、第２の発光ダイオードバルブモジュールに電気的に接続される第２のシリアル調光制御モジュールとを備えるスマート調光システムであって、第１のシリアル調光制御モジュールが前記第２のシリアル調光制御モジュールに電気的に接続され、前記第１のシリアル調光制御モジュール及び前記第２のシリアル調光制御モジュールの何れかが前記ブルートゥースシリアルインターフェース制御モジュールに電気的に接続され、前記制御装置が調光制御信号を前記サーバに提供し、前記サーバが前記調光制御信号に応じてブルートゥース制御信号を前記ブルートゥースシリアルインターフェース制御モジュールに提供し、前記ブルートゥースシリアルインターフェース制御モジュールが前記ブルートゥース制御信号に応じて、シリアル調光信号を前記第１のシリアル調光制御モジュール及び前記第２のシリアル調光制御モジュールの何れかに提供して、前記第１の発光ダイオードバルブモジュール及び前記第２の発光ダイオードバルブモジュールの輝度調整を行うスマート調光システムを提供する。
【０００５】
以上をまとめると、本考案に係る実施例のスマート調光システムは、制御装置を介して、調光制御信号をサーバに送信し、リモートサーバはさらに調光制御信号を本スマート調光システムのブルートゥースシリアルインターフェース制御モジュールに伝送し、ＲＳ２３２シリアルインターフェースを介して、各発光ダイオードバルブモジュールの輝度を効果的に制御することができる。制御インターフェースを統一することもできるし、各発光ダイオードバルブモジュールを同様の輝度で照明させることもできる。従来の調光器を用いた低効率調光方式を回避できるだけでなく、さらに異なる領域の発光ダイオードバルブモジュールを効果的に制御することもできる。
【図面の簡単な説明】
【０００６】
【図１】従来の調光システムの模式図である。
【図２】本考案に係る実施例のスマート調光システムの模式図である。
【図３】本考案に係る実施例のブルートゥースシリアルインターフェース制御モジュールの模式図である。
【図４】本考案に係る実施例の第１のシリアル調光制御モジュール及び第２のシリアル調光制御モジュールの模式図である。
【考案を実施するための形態】
【０００７】
以下、特定の具体的実施例により、本考案に開示される「生体検出装置」に関する実施の態様を説明するが、当業者は本明細書に開示される内容から本考案のメリットと効果が分かりやすい。本考案は他の異なる具体的実施例により実施又は応用されてもよく、本明細書における各項の詳細は異なる観点と応用に基づき、本考案の趣旨を逸脱することなく種々の変形と変更を行ってもよい。また、本考案の添付図面は簡単な概略的説明に過ぎず、実際のサイズに従い描画されるものではないことを明らかにしておく。なお、本明細書において第１、第２、第３等の用語で各種の部品等を説明する可能性があるが、これらの部品はこれらの用語によって制限されるものではない。これらの用語は一つの部品と別の部品を区別するためのものである。また、数又はその同様なものを言及する場合、特記しない限り、本考案の応用範囲はその数又はその同様なものの制限を受けるものではない。以下の実施の態様は本考案の関連技術内容をさらに詳述するが、開示される内容は本考案の技術的範囲を制限するためのものではない。
【０００８】
［本考案に係るスマート調光システムの実施例］
図２、図３及び図４を参照する。図２は本考案に係る実施例のスマート調光システムの模式図である。図３は本考案に係る実施例のブルートゥースシリアルインターフェース制御モジュールの模式図である。図４は本考案に係る実施例の第１のシリアル調光制御モジュール及び第２のシリアル調光制御モジュールの模式図である。
【０００９】
本実施例において、スマート調光システム１は、サーバ１０と、ブルートゥースシリアルインターフェース制御モジュール１１と、第１のシリアル調光制御モジュール２１と、第２のシリアル調光制御モジュール２２と、第３のシリアル調光制御モジュール２３と、第４のシリアル調光制御モジュール２４と、第１の発光ダイオードバルブモジュール３１と、第２の発光ダイオードバルブモジュール３２と、第３の発光ダイオードバルブモジュール３３と、第４の発光ダイオードバルブモジュール３４とを備える。
【００１０】
なかでも、スマート調光システム１は、制御装置１９をさらに備え、サーバ１０は制御装置１９に通信接続される。ブルートゥースシリアルインターフェース制御モジュール１１はブルートゥース通信プロトコルを介してサーバ１０に接続される。
【００１１】
ブルートゥースシリアルインターフェース制御モジュール１１は、第１のシリアル調光制御モジュール２１、第２のシリアル調光制御モジュール２２、第３のシリアル調光制御モジュール２３、及び第４のシリアル調光制御モジュール２４に電気的に接続される。
【００１２】
第１のシリアル調光制御モジュール２１は第１の発光ダイオードバルブモジュール３１に電気的に接続される。第２のシリアル調光制御モジュール２２は第２の発光ダイオードバルブモジュール３２に電気的に接続される。第３のシリアル調光制御モジュール２３は第３の発光ダイオードバルブモジュール３３に電気的に接続される。第４のシリアル調光制御モジュール２４は第４の発光ダイオードバルブモジュール３４に電気的に接続される。
【００１３】
本実施例において、第１のシリアル調光制御モジュール２１は第２のシリアル調光制御モジュール２２に電気的に接続される。第２のシリアル調光制御モジュール２２は第３のシリアル調光制御モジュール２３に電気的に接続される。第３のシリアル調光制御モジュール２３は第４のシリアル調光制御モジュール２４に電気的に接続される。
【００１４】
本実施例において、制御装置１９は調光制御信号をサーバ１０に提供する。サーバ１０は、調光制御信号に応じてブルートゥース制御信号をブルートゥースシリアルインターフェース制御モジュール１１に提供する。ブルートゥースシリアルインターフェース制御モジュール１１は、前記ブルートゥース制御信号に応じて、シリアル調光信号を第１のシリアル調光制御モジュール２１、第２のシリアル調光制御モジュール２２、第３のシリアル調光制御モジュール２３、及び第４のシリアル調光制御モジュール２４に提供して、第１の発光ダイオードバルブモジュール３１、第２の発光ダイオードバルブモジュール３２、第３の発光ダイオードバルブモジュール３３、及び第４の発光ダイオードバルブモジュール３４の輝度調整を行う。
【００１５】
他の実施例において、第１のシリアル調光制御モジュール２１、第２のシリアル調光制御モジュール２２、第３のシリアル調光制御モジュール２３、及び第４のシリアル調光制御モジュール２４は、それぞれブルートゥースシリアルインターフェース制御モジュール１１に電気的に接続される。ブルートゥースシリアルインターフェース制御モジュール１１は、それぞれシリアル調光信号を第１のシリアル調光制御モジュール２１、第２のシリアル調光制御モジュール２２、第３のシリアル調光制御モジュール２３、及び第４のシリアル調光制御モジュール２４に送信する。
【００１６】
また、第１のシリアル調光制御モジュール２１、第２のシリアル調光制御モジュール２２、第３のシリアル調光制御モジュール２３、及び第４のシリアル調光制御モジュール２４は、互いに電気的に接続され、シリアル調光信号の伝送速度を速めることができる。
【００１７】
本実施例において、ブルートゥースシリアルインターフェース制御モジュール１１は、インターフェース処理ユニット１１１と、ブルートゥース通信ユニット１１２と、シリアルインターフェース制御ユニット１１３とを備える。
【００１８】
ブルートゥース通信ユニット１１２はインターフェース処理ユニット１１１に電気的に接続され、前記ブルートゥース制御信号を受信するために用いられる。シリアルインターフェース制御ユニット１１３は、前記インターフェース処理ユニット１１１に電気的に接続される。インターフェース処理ユニット１１１は、ブルートゥース通信ユニット１１２が受信したブルートゥース制御信号をシリアル調光信号に変換し、インターフェース制御ユニット１１３を介して第１のシリアル調光制御モジュール２１、第２のシリアル調光制御モジュール２２、第３のシリアル調光制御モジュール２３、及び第４のシリアル調光制御モジュール２４に送信する。即ち、インターフェース処理ユニット１１１は、ブルートゥース通信ユニット１１２が受信したブルートゥース制御信号をシリアル調光信号に変換し、インターフェース制御ユニット１１３を介して第１のシリアル調光制御モジュール２１、第２のシリアル調光制御モジュール２２、第３のシリアル調光制御モジュール２３、及び第４のシリアル調光制御モジュール２４の何れかに送信する。本実施例において、インターフェース処理ユニット１１１は、ブルートゥース通信ユニット１１２が受信したブルートゥース制御信号をシリアル調光信号に変換し、インターフェース制御ユニット１１３を介して第１のシリアル調光制御モジュール２１に送信する。次に、第１のシリアル調光制御モジュール２１によって順番に第２のシリアル調光制御モジュール２２、第３のシリアル調光制御モジュール２３、及び第４のシリアル調光制御モジュール２４まで送信される。
【００１９】
他の実施例において、第１のシリアル調光制御モジュール２１、第２のシリアル調光制御モジュール２２、第３のシリアル調光制御モジュール２３、及び第４のシリアル調光制御モジュール２４は、それぞれブルートゥースシリアルインターフェース制御モジュール１１のシリアルインターフェース制御ユニット１１３に電気的に接続される。
【００２０】
本実施例において、第１のシリアル調光制御モジュール２１、第２のシリアル調光制御モジュール２２、第３のシリアル調光制御モジュール２３、及び第４のシリアル調光制御モジュール２４の数は、実際の要求に応じて調整を行ってもよく、本考案には制限されない。
【００２１】
ブルートゥースシリアルインターフェース制御モジュール１１のシリアルインターフェース制御ユニット１１３は、第１のシリアル調光制御モジュール２１に電気的に接続される。
【００２２】
第１のシリアル調光制御モジュール２１、第２のシリアル調光制御モジュール２２、第３のシリアル調光制御モジュール２３、及び第４のシリアル調光制御モジュール２４の構造、機能が全て同様であるので、以下は第１のシリアル調光制御モジュール２１と第２のシリアル調光制御モジュール２２のみについて構造を説明するが、この後、他のシリアル調光制御モジュールの構造機能は省略する。
【００２３】
第１のシリアル調光制御モジュール２１は、第１の交流直流変換ユニット２１１と、第１の処理ユニット２１２と、第１のシリアル調整ユニット２１３と、第１の定電流駆動ユニット２１４とを備える。
【００２４】
第２のシリアル調光制御モジュール２２は、第２の交流直流変換ユニット２２１と、第２の処理ユニット２２２と、第２のシリアル調整ユニット２２３と、第２の定電流駆動ユニット２２４とを備える。
【００２５】
第１の処理ユニット２１２は第１の交流直流変換ユニット２１１に電気的に接続される。第１のシリアル調整ユニット２１３は前記第１の処理ユニット２１２に電気的に接続される。第１の定電流駆動ユニット２１４は第１のシリアル調整ユニット２１３及び第１の交流直流変換ユニット２１１に電気的に接続される。第２の処理ユニット２２２は第２の交流直流変換ユニット２２１に電気的に接続される。第２のシリアル調整ユニット２２３は前記第２の処理ユニット２２２に電気的に接続される。第２の定電流駆動ユニット２２４は第２のシリアル調整ユニット２２３及び第２の交流直流変換ユニット２２１に電気的に接続される。
【００２６】
本実施例において、第１の交流直流変換ユニット２１１と第２の交流直流変換ユニット２２１は、受電された交流電圧、例えば１１０Ｖ又は２２０Ｖを適切な直流電圧、例えば１２Ｖ、４８Ｖ等に変換するために用いられる。
【００２７】
第１のシリアル調整ユニット２１３及び第２のシリアル調整ユニット２２３はＲＳ２３２インターフェースユニットである。即ち、第１のシリアル調整ユニット２１３及び第２のシリアル調整ユニット２２３は互いの電気的接続により信号伝送を行うことができる。本実施例において、第１のシリアル調整ユニット２１３は第２のシリアル調整ユニット２２３に電気的に接続され、シリアル制御信号を伝送するために用いられる。
【００２８】
他の実施例において、第１のシリアル調整ユニット２１３及び第２のシリアル調整ユニット２２３は、ＲＳ４８５インターフェースユニット又はＩ２Ｃインターフェースユニットであってもよい。本実施例において、ブルートゥースシリアルインターフェース制御モジュール１１とサーバ１０は、ブルートゥース通信プロトコル４．０又はブルートゥース通信プロトコル５．０を用いて通信を行う。
【００２９】
以上をまとめると、本考案に係る実施例のスマート調光システムは、制御装置を介して、調光制御信号をサーバに送信し、リモートサーバはさらに調光制御信号を本スマート調光システムのブルートゥースシリアルインターフェース制御モジュールに伝送し、ＲＳ２３２シリアルインターフェースを介して、各発光ダイオードバルブモジュールの輝度を効果的に制御することができる。制御インターフェースを統一することもできるし、各発光ダイオードバルブモジュールを同様の輝度で照明させることもできる。従来の調光器を用いた低効率調光方式を回避できるだけでなく、さらに異なる領域の発光ダイオードバルブモジュールを効果的に制御することもできる。
【００３０】
上述したのは本考案の好ましい実施例に過ぎず、本考案の特許請求の範囲を限定するためのものではない。したがって、本考案の明細書及び図面の内容に基づき為された均等の変化は、全て同様に本考案の特許請求の範囲に含まれることを明らかにしておく。
【符号の説明】
【００３１】
１      スマート調光システム
１０    サーバ
１１    ブルートゥースシリアルインターフェース制御モジュール
２１    第１のシリアル調光制御モジュール
２２    第２のシリアル調光制御モジュール
２３    第３のシリアル調光制御モジュール
２４    第４のシリアル調光制御モジュール
３１    第１の発光ダイオードバルブモジュール
３２    第２の発光ダイオードバルブモジュール
３３    第３の発光ダイオードバルブモジュール
３４    第４の発光ダイオードバルブモジュール
１９    制御装置
２１１  第１の交流直流変換ユニット
２１２  第１の処理ユニット
２１３  第１のシリアル調整ユニット
２１４  第１の定電流駆動ユニット
２２１  第２の交流直流変換ユニット
２２２  第２の処理ユニット
２２３  第２のシリアル調整ユニット
２２４  第２の定電流駆動ユニット
１１１  インターフェース処理ユニット
１１２  ブルートゥース通信ユニット
１１３  シリアルインターフェース制御ユニット
９      従来の調光システム
９１    調光器
９２    発光ダイオード駆動モジュール
９３    発光ダイオードバルブ
ＶＡＣ  交流電圧
【図１】
0003219590.tif 000003
【図２】
0003219590.tif 000004
【図３】
0003219590.tif 000005
【図４】
0003219590.tif 000006